(57)【要約】【課題】トンネル横断面の上部にアンカーを打ち込む必要がなく、施工性に優れたトンネル内周面の補強構造を提供する。【解決手段】トンネル横断面の上部がアーチ状に形成されたトンネル内周面の補強構造である。  そして、トンネル１の軸方向に間隔を置いて配置されるとともに内周面１１１に沿って周方向に延伸される帯板２，・・・と、トンネル横断面の下部に配置されて帯板の両方の端部２１，２１をそれぞれ受ける受台部３，３と、両端の受台部より上方の内周面に固定されるとともに帯板の延伸方向への移動を制限することなく支持させるガイド部４と、内周面と帯板との間に介在される充填材とを備えている。【選択図】図１
2020063589.tif 000002
【特許請求の範囲】
【請求項１】
トンネル横断面の上部がアーチ状に形成されたトンネル内周面の補強構造であって、
トンネルの軸方向に間隔を置いて配置されるとともに、前記トンネル内周面に沿って周方向に延伸される帯板と、
前記トンネル横断面の下部に配置されて前記帯板の両端をそれぞれ受ける受台部と、
両端の前記受台部より上方の前記トンネル内周面に固定されるとともに、前記帯板の延伸方向への移動を制限することなく支持させるガイド部と、
前記トンネル内周面と前記帯板との間に介在される充填材とを備えたことを特徴とするトンネル内周面の補強構造。
【請求項２】
前記帯板は、バサルト繊維を樹脂によって板状に成形したバサルトプレートであることを特徴とする請求項１に記載のトンネル内周面の補強構造。
【請求項３】
前記充填材は、接着剤であることを特徴とする請求項１又は２に記載のトンネル内周面の補強構造。
【請求項４】
前記受台部は、前記帯板の端部を載せる棚部と、前記帯板のトンネル内空側の側面を覆う内側面部と、前記内側面部を前記トンネル内周面に固定するアンカーとを有することを特徴とする請求項１乃至３のいずれか１項に記載のトンネル内周面の補強構造。
【請求項５】
前記ガイド部は、前記帯板の延伸方向に間隔を置いて複数設けられることを特徴とする請求項１乃至４のいずれか１項に記載のトンネル内周面の補強構造。
【請求項６】
トンネル横断面の上部がアーチ状に形成されたトンネル内周面の補強方法であって、
前記トンネル内周面又は前記トンネル内周面に沿って周方向に延伸させる帯板に充填材を塗布する工程と、
前記帯板を前記トンネル内周面との間に前記充填材が介在されるように配置する工程と、
前記トンネル横断面の下部において、前記帯板の両端のそれぞれを受台部によって受けさせるとともに、少なくとも一方の前記受台部の下方にジャッキを設置する工程と、
前記ジャッキを伸長することで前記受台部を介して前記帯板に軸力を導入する工程とを備えたことを特徴とするトンネル内周面の補強方法。
【請求項７】
前記帯板に軸力を導入した状態で、前記受台部を前記トンネル内周面に対して固定する工程を備えたことを特徴とする請求項６に記載のトンネル内周面の補強方法。
【発明の詳細な説明】
【技術分野】
【０００１】
本発明は、トンネル横断面の上部がアーチ状に形成されたトンネル内周面の補強構造及び補強方法に関するものである。
【背景技術】
【０００２】
一般にトンネルの内周面は、コンクリートなどによって構築された覆工で覆われている。この覆工は、経年による劣化や周辺地盤の土圧や湧水状況の変化などによって、ひび割れやはく離が発生し、補修が必要になることがある（特許文献１−３参照）。
【０００３】
例えば特許文献１には、トンネルの周方向に延びる帯状の鋼板を補修材とし、トンネルの軸方向に間隔を置いて設置したトンネル覆工補修構造が開示されている。この帯状補修材は、接着剤によって覆工の内周面に貼り付けられるとともに、周方向に間隔を置いてアンカーを打ち込むことによって固定される。
【０００４】
また、特許文献２には、覆工の内周面側にアンカーで留めた金網を敷設することで、コンクリートのはく離などによるトンネル内への落下物を防止する構造が開示されている。さらに、トンネル周方向に沿う形状のＨ形鋼を、トンネルの軸方向に間隔を置いて設置することで落下物を防止する構造についても開示されている。
【０００５】
一方、特許文献３には、覆工の一部にひび割れが発生した場合に、部分的に補修する工法が開示されている。この工法では、アンカーから張り出される支持板によって、ひび割れから先の表層部片が支持されることになる。
【先行技術文献】
【特許文献】
【０００６】
【特許文献１】特開２００３−４１８９５号公報
【特許文献２】特開２００１−１７３３９６号公報
【特許文献３】特開２００５−７６３４４号公報
【発明の概要】
【発明が解決しようとする課題】
【０００７】
しかしながら補強対象となる覆工が著しく劣化している場合や、目地が劣化したレンガ積みトンネルでは、固定用のアンカーが打ち込めないことがある。また、トンネル横断面の上部にアンカーを打ち込む場合は、高所作業車などの足場が必要になり、トンネルの供用停止時間が長くなる。
【０００８】
そこで、本発明は、トンネル横断面の上部にアンカーを打ち込む必要がなく、施工性に優れたトンネル内周面の補強構造及びトンネル内周面の補強方法を提供することを目的としている。
【課題を解決するための手段】
【０００９】
前記目的を達成するために、本発明のトンネル内周面の補強構造は、トンネル横断面の上部がアーチ状に形成されたトンネル内周面の補強構造であって、トンネルの軸方向に間隔を置いて配置されるとともに、前記トンネル内周面に沿って周方向に延伸される帯板と、前記トンネル横断面の下部に配置されて前記帯板の両端をそれぞれ受ける受台部と、両端の前記受台部より上方の前記トンネル内周面に固定されるとともに、前記帯板の延伸方向への移動を制限することなく支持させるガイド部と、前記トンネル内周面と前記帯板との間に介在される充填材とを備えたことを特徴とする。
【００１０】
ここで、前記帯板は、バサルト繊維を樹脂によって板状に成形したバサルトプレートとすることができる。また、前記充填材には、接着剤を使用することができる。
さらに、前記受台部は、前記帯板の端部を載せる棚部と、前記帯板のトンネル内空側の側面を覆う内側面部と、前記内側面部を前記トンネル内周面に固定するアンカーとを有する構成とすることができる。また、前記ガイド部は、前記帯板の延伸方向に間隔を置いて複数設けられる構成とすることができる。
【００１１】
そして、トンネル内周面の補強方法の発明は、トンネル横断面の上部がアーチ状に形成されたトンネル内周面の補強方法であって、前記トンネル内周面又は前記トンネル内周面に沿って周方向に延伸させる帯板に充填材を塗布する工程と、前記帯板を前記トンネル内周面との間に前記充填材が介在されるように配置する工程と、前記トンネル横断面の下部において、前記帯板の両端のそれぞれを受台部によって受けさせるとともに、少なくとも一方の前記受台部の下方にジャッキを設置する工程と、前記ジャッキを伸長することで前記受台部を介して前記帯板に軸力を導入する工程とを備えたことを特徴とする。
ここで、前記帯板に軸力を導入した状態で、前記受台部を前記トンネル内周面に対して固定する工程を備えた構成とすることができる。
【発明の効果】
【００１２】
このように構成された本発明のトンネル内周面の補強構造では、充填材を介在させた状態でトンネル内周面に沿って周方向に延伸される帯板は、両端がそれぞれ受台部で受けられる。さらに、帯板は、延伸方向への移動を制限しないガイド部によって支持される。
【００１３】
このような構造であれば、帯板に軸力を導入した状態を維持させることができる。また、軸力が導入された帯板でトンネル内周面側を支持するのであれば、トンネルの上部において帯板をアンカーで固定する必要がない。
このため、トンネル横断面の上部にアンカーを打ち込む必要がなく、施工性に優れている。
【００１４】
特に、帯板がバサルト繊維を樹脂によって板状に成形したバサルトプレートであれば、Ｈ形鋼や鋼板と比べて軽量で、容易に取り扱うことができる。また、トンネル内周面と帯板との隙間を埋める充填材が接着剤であれば、トンネル内周面と帯板との密着性を高めることができる。
【００１５】
さらに、受台部が帯板の端部を載せる棚部と、帯板のトンネル内空側の側面を覆う内側面部とを備えていれば、棚部によって帯板を押し上げた状態で、内側面部をアンカーでトンネル内周面に対して固定することが容易にできる。
また、帯板の延伸方向に間隔を置いて複数のガイド部が設けられていれば、細長い帯板に軸力を導入しても、座屈するのを防ぐことができる。
【００１６】
そして、本発明のトンネル内周面の補強方法は、トンネル横断面の下部において受台部の下方にジャッキを設置することで帯板に軸力を導入できるので、高所作業車などの足場を設置する必要がなく、短時間で作業を行うことができる。
【図面の簡単な説明】
【００１７】
【図１】本実施の形態のトンネル内周面の補強構造を説明する斜視図である。
【図２】帯板の端部に配置される受台部を説明する図であって、（ａ）は正面図、（ｂ）は（ａ）のＡ−Ａ矢視方向で見た断面図である。
【図３】帯板の途中に配置されるガイド部を説明する図であって、（ａ）は正面図、（ｂ）は（ａ）のＢ−Ｂ矢視方向で見た断面図である。
【図４】本実施の形態のトンネル内周面の補強方法の各工程を示した説明図である。
【図５】帯板に軸力を導入する工程を説明する断面図である。
【図６】本実施の形態のトンネル内周面の補強構造に作用する力を模式的に示した説明図である。
【発明を実施するための形態】
【００１８】
以下、本発明の実施の形態について図面を参照して説明する。図１には、本実施の形態のトンネル内周面の補強構造を説明するために例示したトンネル１の構成を示している。
【００１９】
このトンネル１は、トンネル横断面の上部がアーチ状に形成された覆工１１と、覆工１１の脚部間を繋ぐ床版１２とによって内空が保護されている。覆工１１は、無筋コンクリートなどによって構築され、床版１２は鉄筋コンクリートなどによって構築される。
【００２０】
コンクリートやモルタルなどによって構築された覆工１１は、経年による劣化やトンネル１の周辺地盤の土圧や湧水状況の変化などによって、ひび割れやはく離が発生することがある。本実施の形態のトンネル内周面の補強構造及び補強方法は、トンネル内周面となる覆工１１の内周面１１１に対して施される。
【００２１】
覆工１１は、トンネル横断面の上部となる上半部に形成されるアーチ部１１２と、トンネル横断部の下部となる下半部の両側に形成される側壁部１１３，１１３とによって主に構成される。床版１２は、側壁部１１３，１１３の下端間を接続するように設けられる。
【００２２】
本実施の形態のトンネル内周面の補強構造及び補強方法が適用されるトンネル１は、内周面１１１に沿って配置される後述する帯板２に軸力が導入されたときに、アーチ効果が発生するようなアーチ部１１２を有する形状となっていればよい。
【００２３】
本実施の形態のトンネル内周面の補強構造は、トンネル１の内周面１１１に沿って周方向に延伸される帯板２と、帯板２の両側の端部２１，２１をそれぞれ受ける受台部３，３と、受台部３より上方に配置されるガイド部４とによって主に構成される。
【００２４】
帯板２は、可撓性のある細長い板材であって、アーチ部１１２の内周面１１１の形状に合わせたアーチ状に形成可能な材料によって構成される。帯板２には、各種ＦＲＰや鋼板、溶融亜鉛メッキ鋼板などを使用することもできるが、好ましくは軽量で適度な剛性のあるバサルトプレートが使用できる。
【００２５】
バサルトプレートは、バサルト繊維を樹脂によって板状に成形した材料である。例えば、厚さが0.5mm−5.0mm、幅が50mm−150mm程度の帯状の板材に成形される。バサルト繊維は、天然に存在するバサルト玄武岩を射出して細い繊維にしたものである。
【００２６】
バサルト繊維は、玄武岩を1500℃で溶融押出して得られる紡糸した繊維であり、アラミドファイバーなどの有機繊維素材やグラスファイバーに比べて、耐熱性に優れている。
【００２７】
このようなバサルト繊維によって形成されたバサルトプレートは、軽量で、不陸等に対する柔軟性がある他、耐熱性、絶縁性、及び耐薬品性を有している。さらに、腐食が起き難く、耐久性にも優れている。
また、引張強度は、炭素繊維プレートの1/2−1/3倍程度である反面、弾性係数が小さく、線膨張係数はコンクリートと同等である。
【００２８】
帯板２には、一方の受台部３から他方の受台部３まで連続する板材が使用される。例えば、覆工１１の内周面１１１の周方向の長さと同程度の長さの帯板２が使用される。
また、帯板２は、トンネル１の軸方向に間隔を置いて配置される。すなわち、トンネル１の軸方向の帯板２，２間の間隔は、0.3m−2.0m程度、例えば0.5mに設定される。
【００２９】
トンネル１の内周面１１１と帯板２との間には、図２（ｂ）及び図３（ｂ）に示すように、充填材となる接着剤６が介在される。本実施の形態のトンネル内周面の補強構造では、接着剤６の接着効果については期待していない。例えばパテ状接着剤を介在させることにより、内周面１１１の凹凸（不陸）の存在によって生じる隙間の発生を抑えることができればよい。すなわち、内周面１１１に対して帯板２を密着させることで、アーチ効果を効果的に発揮させることができるようにする。
【００３０】
受台部３は、図２（ａ）及び図５に示すように、内周面１１１との間に帯板２の端部２１を収容する。受台部３は、帯板２の端部２１を載せる棚部３２と、帯板２のトンネル内空側の内側面２２を覆う内側面部３１と、内側面部３１を内周面１１１に固定するアンカー５とによって、主に構成される。
【００３１】
内側面部３１は、図２（ｂ）に示すように、平面視Ω字状に形成されていて、両側縁にフランジ部３１１，３１１が設けられる。また、内側面部３１の下側の開口は、板状の棚部３２によって塞がれる。
【００３２】
そして、フランジ部３１１，３１１と棚部３２とに囲まれた内周面１１１との間に形成される内側面部３１の直方体状の空間に、帯板２の端部２１が挿し込まれる。すなわち、内側面部３１と内周面１１１との間に形成される長方形断面の空間は、帯板２の幅と厚さによって規定される長方形より一回り大き目に形成される。
【００３３】
内側面部３１の内周面１１１に接触させるフランジ部３１１には、アンカー５を通すための長穴３１２が穿孔される。固定用のアンカー５を通す穴を長穴３１２にすることで、仮止めした後に受台部３を介して帯板２の端部２１を持ち上げて、軸力が導入された状態で固定する作業を容易に行うことができるようになる。
【００３４】
アンカー５については、長穴３１２に支圧板５１を架け渡し、トンネル内空側に突出するアンカー５の頭部にナット５２を装着することで、覆工１１の内部に先端が打ち込まれたアンカー５を定着させることができる。
そして、受台部３と帯板２の端部２１との隙間には、接着剤６が充填される。
【００３５】
ガイド部４は、図３（ａ），（ｂ）に示すように、内周面１１１との間に帯板２を延伸方向への移動を制限しない状態で通す部材である。ガイド部４は、帯板２のトンネル内空側の内側面２２を覆う内側面部４１と、内側面部４１を内周面１１１に固定するアンカー５とによって、主に構成される。
【００３６】
内側面部４１は、図３（ｂ）に示すように、平面視Ω字状に形成されていて、両側縁にフランジ部４１１，４１１が設けられる。そして、フランジ部４１１，４１１に挟まれた内周面１１１との間に形成される内側面部４１の直方体状の空間に、帯板２が通される。すなわち、内側面部４１と内周面１１１との間に形成される長方形断面の空間は、帯板２の幅と厚さによって規定される長方形より一回り大き目に形成される。
【００３７】
内側面部４１の内周面１１１に接触させるフランジ部４１１には、アンカー５を通すための長穴４１２が穿孔される。固定用のアンカー５を通す穴を長穴４１２にすることで、位置や向きの調整を容易に行うことができるようになる。
【００３８】
帯板２を受台部３より上方で支持させるガイド部４は、軸力を導入した際の帯板２の横ずれ、座屈、はらみ出しなどを防ぐために、内周面１１１に取り付けられる。このため、ガイド部４は、必要に応じて帯板２の延伸方向に間隔を置いて複数が配置される。
【００３９】
次に、本実施の形態のトンネル内周面の補強方法について、図４を参照しながら工程の順に説明する。
まず、覆工１１の内周面１１１に対して下地工程を施す（ステップＳ１）。下地工程では、必要に応じて内周面１１１の不陸を調整するために、状況に合わせて接着剤、不陸調整材又は断面修復材などを塗布する。
【００４０】
そして、帯板２を配置する位置に合わせて接着剤６を塗布する。この接着剤６の塗布は、帯板２に直接、行う場合は、内周面１１１に対しては省略することができる。接着剤６は、後述するステップＳ４で軸力を導入するまで硬化しないような遅効性の材料を使用する。
【００４１】
続いてステップＳ２では、覆工１１の内周面１１１の周方向の形状に合わせてアーチ状に形成された帯板２を、内周面１１１に沿って配置する。帯板２は、例えば幅50mmで厚さ4mmに増厚したバサルトプレートを使用することができる。厚さ2mmのバサルトプレートを使用する場合は、２枚重ねて配置する。このように厚い帯板２とすることで、軸力が導入された際に座屈するのを防ぐことができる。
【００４２】
覆工１１の側壁部１１３に対しては、床版１２上や簡単に設置可能な脚立の上に立った作業員の手が届く範囲で、トンネル内空側から帯板２を覆うようにガイド部４を取り付ける。ガイド部４は、アンカー５を側壁部１１３に打ち込み、頭部に支圧板５１及びナット５２を装着することで固定することができる。なお、ガイド部４を先行して内周面１１１に固定しておき、後からガイド部４と内周面１１１との空間に帯板２を挿し込んで通す手順で設置することもできる。
【００４３】
ステップＳ３では、床版１２近くに垂れ下がった帯板２の端部２１に対して、受台部３を装着する。そして、図５に示すように、床版１２上に油圧ジャッキなどのジャッキ７を設置して、先端を受台部３の棚部３２の下面に当てる。
【００４４】
この状態でジャッキ７を稼働させて油圧によってシリンダ７１を伸長させると、棚部３２に載せられた帯板２の端部２１が上方に向けて持ち上げられる。ここで、ガイド部４は、帯板２を挿通させているだけで延伸方向の移動を制限しないため、帯板２はトンネル１の頂部（天端）に向けて押し上げられる。
【００４５】
一方、このジャッキ７の伸長が、帯板２の両側の端部２１，２１の受台部３，３に対して行われていると、両側から押し上げられた帯板２は移動が制限されて、軸力が導入されることになる（ステップＳ４）。なお、片側の受台部３を内周面１１１に固定しておいても帯板２の移動は制限されるので、軸力を導入することができる。
【００４６】
また、軸力を導入するために必要なストロークが長穴３１２の長さの範囲に入った後は、アンカー５を長穴３１２に通して側壁部１１３に打ち込んでおくことができる。シリンダ７１を伸長させて、受台部３が所望する位置（高さ）まで持ち上がった状態で、ナット５２を締め付けることで受台部３を固定する（ステップＳ５）。
【００４７】
このようにジャッキ７で端部２１を持ち上げた位置で受台部３を固定することで、帯板２に軸力が導入された状態を保持させることができる。受台部３をアンカー５で固定した後は、ジャッキ７のシリンダ７１を縮めて床版１２上から撤去する。
【００４８】
そして、内周面１１１と帯板２との間に介在された接着剤６が硬化すると、帯板２は軸力が導入された状態で覆工１１と一体化される。帯板２がバサルトプレートによって形成されていれば、コンクリートの覆工１１と線膨張係数が近いため、膨張や収縮に追従させることができる。
【００４９】
次に、本実施の形態のトンネル内周面の補強構造及び補強方法の作用について説明する。
このように構成された本実施の形態のトンネル内周面の補強構造及び補強方法は、接着剤６を介在させた状態でトンネル１の内周面１１１に沿って周方向に延伸される帯板２は、両方の端部２１，２１がそれぞれ受台部３，３で受けられる。さらに、帯板２は、延伸方向への移動を制限しないガイド部４，・・・によって支持される。
このようなトンネル内周面の補強構造であれば、建築限界に余裕が少ないトンネル１にも設けることができる。
【００５０】
図６に、本実施の形態のトンネル内周面の補強構造に作用する力を模式的に示した。帯板２の両端に配置された受台部３，３をジャッキ荷重Ｊ，Ｊによって押し上げると、周方向の移動が拘束された帯板２には軸力Ｐが導入されることになる。この軸力Ｐは、アーチ効果を生じさせる。すなわち、覆工１１のコンクリートがはく離して落下荷重Ｑとなったとしても、周方向に軸力Ｐが導入された帯板２によって受ける（支持する）ことができる。
【００５１】
また、帯板２の延伸方向に間隔を置いて複数のガイド部４，・・・が設けられていれば、細長い帯板２に軸力を導入しても、座屈するのを防ぐことができる。さらに、ガイド部４によってトンネル１の軸方向や中心方向への移動が制限されるので、帯板２の横ずれやはらみ出しを抑えることができる。
【００５２】
このように本実施の形態のトンネル内周面の補強構造であれば、帯板２に軸力Ｐを導入した状態を維持させることができる。また、軸力Ｐが導入された帯板２でトンネル内周面側を支持するので、トンネル１の上部において帯板２をアンカーで固定する必要がない。
【００５３】
このため、本実施の形態のトンネル内周面の補強構造は、トンネル横断面の上部にアンカーを打ち込む必要がなく、施工性に優れている。すなわち、トンネル横断面の下部において、床版１２上又は簡単に設置できる脚立などに立った作業員の手の届く範囲で、ガイド部４の設置、受台部３の設置、及び受台部３の下方へのジャッキ７の設置をすることができる。
【００５４】
このように、帯板２に軸力Ｐを導入する作業に高所作業車などの足場を設置する必要がなく、短時間で作業を行うことができる。また、アンカー５は、床版１２上を歩く作業員の手が届く範囲に打ち込まれるだけなので、施工後の維持管理が容易になり、メンテナンスコストを低減することができる。
【００５５】
さらに、帯板２がバサルト繊維を樹脂によって板状に成形したバサルトプレートであれば、Ｈ形鋼や鋼板と比べて軽量で、容易に取り扱うことができる。また、トンネル１の内周面１１１と帯板２との隙間を埋める充填材が接着剤６であれば、硬化によって内周面１１１と帯板２との密着性を高めることができる。
【００５６】
そして、受台部３が帯板２の端部２１を載せる棚部３２と、帯板２のトンネル内空側の内側面２２を覆う内側面部３１とを備えていれば、ジャッキ７によって棚部３２で帯板２を押し上げた状態のままで、内側面部３１をアンカー５で内周面１１１に対して固定することが容易にできる。
【００５７】
以上、図面を参照して、本発明の実施の形態を詳述してきたが、具体的な構成は、この実施の形態に限らず、本発明の要旨を逸脱しない程度の設計的変更は、本発明に含まれる。
例えば、前記実施の形態では、充填材として接着剤６を例に説明したが、これに限定されるものではなく、接着力がほとんどないシーリング材などであってもよい。また、充填材は塗布する材料に限定されるものではなく、例えばゴムシートなどを帯板２の側面に貼り付けて内周面１１１との間の充填材にすることもできる。
【００５８】
また、前記実施の形態では、油圧ジャッキを例にジャッキ７を説明したが、これに限定されるものではなく、例えばメカニカルジャッキをジャッキとして受台部３の下方に配置した場合は、撤去せずにそのままジャッキを据え付けておくことで、受台部３の位置（高さ）を固定することができる。
【符号の説明】
【００５９】
１        ：トンネル
１１      ：覆工
１１１    ：（トンネル）内周面
１１２    ：アーチ部（上部）
１１３    ：側壁部（下部）
２        ：帯板
２１      ：端部
２２      ：内側面
３        ：受台部
３１      ：内側面部
３２      ：棚部
４        ：ガイド部
５        ：アンカー
６        ：接着剤（充填材）
７        ：ジャッキ
Ｐ        ：軸力
【図１】
2020063589.tif 000003
【図２】
2020063589.tif 000004
【図３】
2020063589.tif 000005
【図４】
2020063589.tif 000006
【図５】
2020063589.tif 000007
【図６】
2020063589.tif 000008